(57)【要約】【課題】安価でしかも破損しにくい液晶パネル用ホルダを提供することである。【解決手段】液晶パネル用ホルダは、液晶パネル９を収容する樹脂製の保持部材３と、保持部材３の一端面に重なるように装着される金属製の入射側遮光板５とを備える。保持部材３に、固定部材のねじ孔にねじ込まれる頭部にテーパ面が形成された皿ねじが挿入される第１ねじ挿入孔３６を形成する。入射側遮光板５に、第１ねじ挿入孔３６と対向し、皿ねじの頭部を収容する皿状の収容空間５５ａを有する第２ねじ挿入孔５５を形成した。【選択図】        図１
2004302162.tif 000002
【特許請求の範囲】
【請求項１】
液晶パネルを収容する樹脂製の保持部材と、前記保持部材の一端面に重なるように装着される枠体とを備えている液晶パネル用ホルダにおいて、
前記保持部材に、固定部材のねじ孔にねじ込まれる頭部にテーパ面が形成されたねじが挿入される第１ねじ挿入孔が形成され、
前記枠体に、前記第１ねじ挿入孔と対向し、前記ねじのテーパ面を収容する皿状の収容空間を有する第２ねじ挿入孔が形成され
ていることを特徴とする液晶パネル用ホルダ。
【請求項２】
前記枠体の前記第２ねじ挿入孔の周辺部分が前記保持部材側へ突出するように成形され、前記第１ねじ挿入孔の一端部に前記周辺部分を受け入れる皿状の凹部が形成されていることを特徴とする請求項１記載の液晶パネル用ホルダ。
【請求項３】
請求項１又は２記載の液晶パネル用ホルダを備えていることを特徴とする液晶モジュール。
【発明の詳細な説明】
【０００１】
【発明の属する技術分野】
この発明は液晶プロジェクタ、リアプロジェクションテレビ等に用いられる液晶パネルを保持する液晶パネル用ホルダ及びそれを備えた液晶モジュールに関する。
【０００２】
【従来の技術】
従来の液晶パネル用ホルダは液晶パネルを収容する液晶枠と、この液晶枠の上方から嵌め込まれる入射枠板と、液晶枠の下方から嵌め込まれる出射枠板とから構成されている（下記特許文献１参照）。
【０００３】
液晶枠は、合成樹脂製の長方形状の枠であり、この枠の３箇所に形成されたねじ挿入孔と、枠の左右両側面にそれぞれ４つ設けられた溝とを有する。各溝には突起が設けられている。
【０００４】
入射枠板は、金属製であり、長方形状の枠と、この枠の四角に形成された折曲部と、各折曲部に設けられた切欠部とを有する。
【０００５】
出射枠板は、金属製であり、長方形状の枠と、この枠の左右両側面に形成された折曲部と、各折曲部に設けられた切欠部とを有する。
【０００６】
この液晶パネル用ホルダは、液晶枠に液晶パネルを収容した後、液晶枠のねじ挿入孔にねじを通し、このねじを金属製の固定部材のねじ孔にねじ込むことによって固定部材に固定される。
【０００７】
図１２は従来の液晶パネル用ホルダを固定部材にねじ止めする前の状態の断面図、図１３は図１２に示す液晶パネル用ホルダを固定部材にねじ止めした後の状態の断面図である。
【０００８】
図１２に示すように、従来の液晶パネル用ホルダの液晶枠６０３は、通常、皿ねじ１１を用いて固定部材２０にねじ止めされる。ねじ挿入孔６３６の一端部には座ぐり６３６ａが形成されている。図１３に示すように、ねじ挿入孔６３６にねじ１１を通し、このねじ１１を固定部材２０のねじ孔２１にねじ込んだとき、ねじ１１の頭部１１ａが座ぐり６３６ａに収まり、液晶枠６０３の一端面６０３ａから突出しない。
【０００９】
【特許文献１】
特開２００３−４３４５４号公報（段落００２０〜２３、図１）
【００１０】
【発明が解決しようとする課題】
しかし、座ぐり６３６ａを押し広げようとする力Ｆ（図１３参照）が作用する。
【００１１】
このため、従来の液晶パネル用ホルダでは、皿ねじ１１が所定量以上をねじ込まれたときに、液晶枠６０３のボルト挿入孔６３６の周辺部分が裂ける虞があった。
【００１２】
この問題を解消するには、液晶枠６０３を金属製にすればよい。しかし、そうした場合、液晶パネル用ホルダの製造コストが高くなるといった別の問題が生じる。
【００１３】
この発明はこのような事情に鑑みてなされたもので、その課題は安価でしかも破損しにくい液晶パネル用ホルダ及び液晶モジュールを提供することである。
【００１４】
【課題を解決するための手段】
前述の課題を解決するため請求項１の発明の液晶パネル用ホルダは、液晶パネルを収容する樹脂製の保持部材と、前記保持部材の一端面に重なるように装着される枠体とを備えている液晶パネル用ホルダにおいて、前記保持部材に、固定部材のねじ孔にねじ込まれる頭部にテーパ面が形成されたねじが挿入される第１ねじ挿入孔が形成され、前記枠体に、前記第１ねじ挿入孔と対向し、前記ねじのテーパ面を収容する皿状の収容空間を有する第２ねじ挿入孔が形成されていることを特徴とする。
【００１５】
上述のように枠体に、第１ねじ挿入孔と対向し、ねじのテーパ面を収容する皿状の収容空間を形成する第２ねじ挿入孔が形成されているので、ねじを固定部材のねじ孔にねじ込んだとき、テーパ面を介して伝わる力のうち半径方向へ作用する分力は枠体の第２ねじ挿入孔の部分で受け止められ、保持部材の第１ねじ挿入孔に伝わらない。
【００１６】
請求項２の発明の液晶パネル用ホルダは、請求項１記載の液晶パネル用ホルダにおいて、前記枠体の前記第２ねじ挿入孔の周辺部分が前記保持部材側へ突出するように成形され、前記第１ねじ挿入孔の一端部に前記周辺部分を受け入れる皿状の凹部が形成されていることを特徴とする。
【００１７】
上述のように枠体の第２ねじ挿入孔の周辺部分を保持部材側へ突出するようにプレス成形したので、皿状の収容空間をプレス成形で簡単に形成することができ、また、枠体の厚み寸法をねじの頭部の高さ寸法よりも小さくすることができる。
【００１８】
請求項３の発明の液晶モジュールは、請求項１又は２記載の液晶パネル用ホルダを備えていることを特徴とする。
【００１９】
上述のように請求項３の発明の液晶モジュールは請求項１又は２記載の液晶パネル用ホルダを備えているので、請求項１又は２記載の液晶パネル用ホルダと同様の作用効果を奏する。
【００２０】
【発明の実施の形態】
以下、この発明の実施の形態を図面に基づいて説明する。
【００２１】
図１〜６はこの発明の第１実施形態に係る液晶パネル用ホルダを用いた液晶モジュールを示し、図１は液晶モジュールの分解斜視図、図２は液晶モジュールの組付状態の斜視図、図３は液晶モジュールを固定部材にねじ止めする前の状態の斜視図、図４は液晶モジュールを固定部材にねじ止めした後の状態の斜視図、図５は第１及び第２ねじ挿入孔及びその周辺部分のねじ止め前の状態の断面図、図６は第１及び第２ねじ挿入孔及びその周辺部分のねじ止め後の状態の断面図である。
【００２２】
図１に示すように、液晶モジュール１は保持部材３と入射側遮光板（枠板）５と出射側遮光板７と液晶パネル９と皿ねじ１１（図３参照）とを備える。
【００２３】
保持部材３は合成樹脂製であり、液晶パネル９を収容する。保持部材３は方形の枠状であり、液晶パネル９を包囲する第１〜第４棒状部３１〜３４を有する。保持部材３の出射側遮光板７側の端面には液晶パネル９を支持する枠状の支持部３５が形成されている。また、保持部材３の出射側遮光板７側の端面には後述する第１〜第４帯状部７１〜７４を収容する凹部（図示せず）が形成されている。
【００２４】
第１棒状部３１には後述するＦＰＣ（Ｆｌｅｘｉｂｌｅ  Ｐｒｉｎｔｅｄ  Ｃｉｒｃｕｉｔ）１３を通す凹部３１ａが形成されている。
【００２５】
第２棒状部３２の両端部には位置決め孔３２ａが形成されている。
【００２６】
第３棒状部３３の外面には４つの溝３３ａ，３３ａ，３３ｂ，３３ｂが形成されている。溝３３ａ，３３ａには突起３３ｃ，３３ｃが形成され、溝３３ｂ，３３ｂには突起３３ｄ，３３ｄが形成されている。
【００２７】
第４棒状部３４の外面には４つの溝３４ａ，３４ａ，３４ｂ，３４ｂが形成されている。溝３４ａ，３４ａには突起３３ｃと同様の突起（図示せず）が形成され、溝３４ｂ，３４ｂには突起３３ｄと同様の突起（図示せず）が形成されている。
【００２８】
第１棒状部３１の両端部及び第２棒状部３２の中央部には第１ねじ挿入孔３６が形成されている。
【００２９】
入射側遮光板５は金属製である。入射側遮光板５は枠状であり、第１〜第４帯状部５１〜５４を有する。
【００３０】
第１帯状部５１の両端部には突出片５１ａ，５１ａが形成されている。
【００３１】
第２帯状部５２の中央部には突出片５２ａが形成されている。
【００３２】
第３帯状部５３の両端部にはほぼ直角に折れ曲がる折曲部５３ａ，５３ａが形成されている。折曲部５３ａ，５３ａには孔５３ｂ，５３ｂが形成されている。
【００３３】
第４帯状部５４の両端部にはほぼ直角に折れ曲がる折曲部５４ａ，５４ａが形成されている。折曲部５４ａ，５４ａには孔５４ｂ，５４ｂが形成されている。
【００３４】
突出片５１ａ，５１ａ，５２ａには第２ねじ挿入孔５５が形成されている。図５に示すように、第２ねじ挿入孔５５は入射側遮光板５を保持部材３に重ねたときに第１ねじ挿入孔３６に対向する。第２ねじ挿入孔５５は収容空間５５ａを有する。図６に示すように、収容空間５５ａは皿ねじ（ねじ）１１の頭部１１ａを収容する。
【００３５】
出射側遮光板７は金属製である。出射側遮光板７は枠状であり、第１〜第４帯状部７１〜７４を有する。
【００３６】
第３帯状部７３にはほぼ直角に折れ曲がる折曲部７３ａ，７３ａが形成されている。折曲部７３ａ，７３ａには孔７３ｂ，７３ｂが形成されている。
【００３７】
第４帯状部７４にはほぼ直角に折れ曲がる折曲部７４ａ，７４ａが形成されている。折曲部７４ａ，７４ａには孔７４ｂ，７４ｂが形成されている。
【００３８】
液晶パネル９にはＦＰＣ１３が接続されている。
【００３９】
図５に示すように、皿ねじ１１は皿状の頭部１１ａを有する。頭部１１ａにはテーパ面１１ｂが形成されている。皿ねじ１１は第１及び第２ねじ挿入孔３６，５５に通され、固定部材２０のねじ孔２１にねじ込まれる。
【００４０】
上述の保持部材３と入射側遮光板５と出射側遮光板７とで液晶パネル９を保持する液晶パネル用ホルダが構成されている。
【００４１】
次に液晶モジュール１の組立手順について説明する。
【００４２】
まず、液晶パネル９を保持部材３に収容する。
【００４３】
次に、入射側遮光板５を保持部材３に重ねる。折曲片５３ａ，５４ａがそれぞれ溝３３ａ，３４ａに入るとともに突起３３ｃが孔５３ｂ，５４ｂに入る。その結果、入射側遮光板５が保持部材３に係止される。
【００４４】
最後に、出射側遮光板７を保持部材３に重ねる。折曲片７３ａ，７４ａがそれぞれ溝３３ｂ，３４ｂに入るとともに突起３３ｄが孔７３ｂ，７４ｂに入る。その結果、出射側遮光板７が保持部材３に係止される。
【００４５】
以上の手順により、図２示すように、液晶モジュール１が組み立てられる。
【００４６】
図３、図５に示すように、組み立てられた液晶モジュール１の第１及び第２ねじ挿入孔３６，５５には皿ねじ１１が挿入される。
【００４７】
図６に示すように、第１及び第２ねじ挿入孔３６，５５に挿入された皿ねじ１１は固定部材２０のねじ孔２１にねじ込まれる。
【００４８】
以上により、図４に示すように、液晶モジュール１は固定部材２０にねじ止めされる。このとき、液晶モジュール１の液晶パネル９の出射面と固定部材２０の窓２２（図３参照）とが対向する。
【００４９】
光源（図示せず）から発せられた光Ｌは液晶モジュール１の液晶パネル９の入射面に入射し、その出射面から出射される。
【００５０】
この実施形態の液晶パネル用ホルダによれば、皿ねじ１１を固定部材２０のねじ孔２１にねじ込んだとき、テーパ面１１ｂを介して伝わる力のうち半径方向へ作用する分力は入射側遮光板５の第２ねじ挿入孔５５の部分で受け止められ、保持部材３の第１ねじ挿入孔３６に伝わらない。したがって、保持部材３の破損を防止することができる。保持部材３を金属製にする場合に較べ、コストアップを抑えることができる。
【００５１】
更に、この実施形態の液晶パネル用ホルダは、入射側遮光板５及び出射側遮光板７を備えているので、紫外線から保持部材３を守ることができる。
【００５２】
なお、第２ねじ挿入孔５５の収容空間５５ａが形成される入射側遮光板５は金属製であるから、皿ねじ１１をねじ込んだときの力によって破損しにくい。
【００５３】
図７はこの発明の第２実施形態に係る液晶パネル用ホルダを用いた液晶モジュールの分解斜視図である。
【００５４】
図７に示す液晶モジュール２０１は一部を除いて図１に示す液晶モジュール１と同じであるので、同じ部分には同一符号を付してその説明を省略する。
【００５５】
以下、第１実施形態と構成の異なる部分についてだけ説明する。
【００５６】
液晶モジュール２０１では出射側遮光板が採用されていない。それに伴い、保持部材２０３の第３及び第４棒状部２３３，２３４には溝が設けられておらず、第３及び第４棒状部２３３，２３４の両端部にそれぞれ突起３３ｃが形成されている。
【００５７】
第２実施形態によれば、第１実施形態と同様の作用効果を奏するとともに、出射側遮光板を廃したので、その分、コスト面及び重量面で有利である。
【００５８】
図８はこの発明の第３実施形態に係る液晶パネル用ホルダを用いた液晶モジュールの分解斜視図である。
【００５９】
図８に示す液晶モジュール３０１は一部を除いて図１に示す液晶モジュール１と同じであるので、同じ部分には同一符号を付してその説明を省略する。
【００６０】
以下、第１実施形態と構成の異なる部分についてだけ説明する。
【００６１】
この液晶モジュール３０１の保持部材３０３は出射側から液晶パネル９が挿入されるようになっている。このため、保持部材３０３の入射側端面に液晶パネル９を支持する支持部３３５が形成されている。
【００６２】
また、第２実施形態と同様に、第３及び第４棒状部３３３，３３４には溝が設けられておらず、第３及び第４棒状部３３３，３３４の両端部にそれぞれ突起３３ｃが形成されている。また、ＦＰＣ１３を通す凹部３３１ａは第１棒状部３３１の出射側に形成されている。
【００６３】
出射側遮光板３０７の折曲部３７３ａ，３７４ａはそれぞれ第３及び第４帯状部７３，７４の両端部に形成されている。液晶モジュール１が組み立てられた状態のとき、折曲部３７３ａ，３７４ａはそれぞれ第３棒状部３３３と折曲部５３ａとの間、第４棒状部３３４と折曲部５４ａとの間に配置される。折曲部３７３ａ，３７４ａの孔３７３ｂ，３７４ｂは突起３３ａを通す。
【００６４】
第３実施形態によれば、第１実施形態と同様の作用効果を奏する
図９はこの発明の第４実施形態に係る液晶パネル用ホルダの入射側遮光板４０５の斜視図である。
【００６５】
第４実施形態は入射側遮光板４０５が第２ねじ挿入孔４５５を４つ備えている例である。したがって、突出片４５１ａ，４５２ａも４つ形成されている。また、保持部材も図示しないが第１ねじ挿入孔を４つ備えている。
【００６６】
第４実施形態によれば、第１実施形態と同様の作用効果を奏する。
【００６７】
図１０はこの発明の第５実施形態に係る液晶パネル用ホルダの第１及び第２ねじ挿入孔及びその周辺部分のねじ止め前の状態の断面図、図１１は第１及び第２ねじ挿入孔及びその周辺部分のねじ止め後の状態の断面図である。
【００６８】
第５実施形態では、入射側遮光板５０５の第２ねじ挿入孔５５５の周辺部分が保持部材５０３側へ突出するようにプレス成形されている。このプレス成形により皿ねじ１１の頭部１１ａを収容する皿状の収容空間５５５ａが形成されている。
【００６９】
保持部材５０３の第１ねじ挿入孔５３６の一端部には第２ねじ挿入孔５５５の周辺部分を受け入れる座ぐり（皿状の凹部）５３６ａが形成されている。
【００７０】
第５実施形態によれば、第１実施形態と同様の作用効果を奏するとともに、第２ねじ挿入孔５５５の周辺部分を保持部材５０３側へ突出するようにプレス成形したので、皿状の収容空間５５５ａを簡単に形成することができ、また、入射側遮光板５０５の厚み寸法を皿ねじ１１の頭部１１ａの高さ寸法よりも小さくすることができる。この結果、製造コストをより抑えることができ、また、液晶パネル用ホルダの重量を低減することができる。
【００７１】
なお、上述の実施形態では、枠板として遮光板５，４０５，５０５を用いたが、枠体としてはこれらの遮光板５，４０５，５０５に限られず、枠状のものであればよい。
【００７２】
また、上述の実施形態では、枠体として金属製の遮光板５，４０５，５０５を用いたが、枠体は金属製に限られず、機械的な強度が高いのもであればよい。
【００７３】
なお、上述の実施形態ではねじとして皿ねじ１１が用いられているが、この発明は頭部にテーパ面が形成されているねじを用いた液晶パネル用ホルダに適用することができる。
【００７４】
【発明の効果】
以上説明したように請求項１の発明の液晶パネル用ホルダによれば、樹脂製の保持部材を破損をしにくくすることができる。しかも、保持部材を金属製にする必要がないので、コストアップを抑えることができる。
【００７５】
請求項２の発明の液晶パネル用ホルダによれば、製造コストをより抑えることができるとともに、液晶パネル用ホルダの重量を低減することができる。
【００７６】
請求項３の発明の液晶モジュールは請求項１又は２記載の液晶パネル用ホルダと同様の作用効果を奏する。
【図面の簡単な説明】
【図１】図１はこの発明の第１実施形態に係る液晶モジュールの分解斜視図である。
【図２】図２は液晶モジュールの組付状態の斜視図である。
【図３】図３は液晶モジュールを固定部材にねじ止めする前の状態の斜視図である。
【図４】図４は液晶モジュールを固定部材にねじ止めした後の状態の斜視図である。
【図５】図５は第１及び第２ねじ挿入孔及びその周辺部分のねじ止め前の状態の断面図である。
【図６】図６は第１及び第２ねじ挿入孔及びその周辺部分のねじ止め後の状態の断面図である。
【図７】図７はこの発明の第２実施形態に係る液晶パネル用ホルダを用いた液晶モジュールの分解斜視図である。
【図８】図８はこの発明の第３実施形態に係る液晶パネル用ホルダを用いた液晶モジュールの分解斜視図である。
【図９】図９はこの発明の第４実施形態に係る液晶パネル用ホルダの入射側遮光板４０５の斜視図である。
【図１０】図１０はこの発明の第５実施形態に係る液晶パネル用ホルダの第１及び第２ねじ挿入孔及びその周辺部分のねじ止め前の状態の断面図である。
【図１１】図１１は第１及び第２ねじ挿入孔及びその周辺部分のねじ止め後の状態の断面図である。
【図１２】図１２は従来の液晶パネル用ホルダを固定部材にねじ止めする前の状態の断面図である。
【図１３】図１３は図１２に示す液晶パネル用ホルダを固定部材にねじ止めした後の状態の断面図である。
【符号の説明】
１，２０１，３０１  液晶モジュール
３，２０３，３０３  保持部材
３６，５３６  第１ねじ挿入孔
５，４０５，５０５  入射側遮光板（枠体）
５５，４５５，５５５  第２ねじ挿入孔
５５ａ，５５５ａ  収容空間
９  液晶パネル
１１  皿ねじ（ねじ）
１１ａ  頭部
１１ｂ  テーパ面
２０  固定部材
２１  ねじ孔
【図１】
2004302162.tif 000003
【図２】
2004302162.tif 000004
【図３】
2004302162.tif 000005
【図４】
2004302162.tif 000006
【図５】
2004302162.tif 000007
【図６】
2004302162.tif 000008
【図７】
2004302162.tif 000009
【図８】
2004302162.tif 000010
【図９】
2004302162.tif 000011
【図１０】
2004302162.tif 000012
【図１１】
2004302162.tif 000013
【図１２】
2004302162.tif 000014
【図１３】
2004302162.tif 000015